(57)【特許請求の範囲】
【請求項１】
収容物を保持した中枠部材と、前記中枠部材を摺動可能に収容する箱体とを備え、前記中枠部材には保持片が厚み形成片とともに折り曲げられて設けられ、前記中枠部材の端部には折り返し係止部が折罫線を介して折り返されて設けられ、前記折り返し係止部は前記保持片とともに折り曲げられ、前記折り返し係止部を前記保持片と区切る前記折罫線は、前記折り返し係止部を折り返した状態で、前記保持片または前記厚み形成片から離れるように傾斜して立ち上がる角度に形成され、前記箱体の内側には前記折り返し係止部の端部に当接して係合する段部が設けられ、前記段部の近傍には前記折り返し係止部を押し込んで前記段部から外して係合を解除する押し込み部が設けられていることを特徴とするチャイルドレジスタント機能付き包装用箱。
【請求項２】
前記段部は、前記箱体の側面を筒体に組み立てる糊付片に形成された切欠部の端縁部により形成されている請求項１記載のチャイルドレジスタント機能付き包装用箱。
【請求項３】
前記段部は、前記箱体の側面を筒体に組み立てる糊付片に形成された切欠部の端縁部と、前記糊付片に連接して設けられ前記糊付片に折り返して糊付けされる折返片の端縁部が、重ねられて形成されている請求項１記載のチャイルドレジスタント機能付き包装用箱。
【請求項４】
前記中枠部材の前記厚み形成片には、前記折り返し係止部が押し込まれる部分に透孔が形成されている請求項１記載のチャイルドレジスタント機能付き包装用箱。
【請求項５】
前記箱体の前記押し込み部には、前記箱体に設けられた切断線が設けられている請求項１記載のチャイルドレジスタント機能付き包装用箱。
【請求項６】
前記保持片が前記厚み形成片を挟んで一対設けられ、前記折り返し係止部は前記一対の保持片と前記折罫線で折り返されてコの字形に設けられている請求項１記載のチャイルドレジスタント機能付き包装用箱。
【発明の詳細な説明】
【技術分野】
【０００１】
この発明は、箱体の内側に、収容物を保持する中枠部材が箱体の挿通方向に沿って摺動可能に設けられているチャイルドレジスタント機能付き包装用箱に関する。
【背景技術】
【０００２】
従来、箱体の内側に、ＰＴＰシート等の収容物を入れる中枠部材が箱体の挿通方向に沿って摺動可能に設けられている包装用箱がある。収容物を取り出す時は、中枠部材を摺動させて箱体から突出させ、中枠部材に取り付けられたＰＴＰシートから錠剤やカプセルなどを取り出すものである。また、中枠部材が箱体にロックされ、不用意に摺動しないようにチャイルドレジスタント機能が設けられたものがある。
【０００３】
例えば、特許文献１に開示されている子供避けロック機能付き単位用量パッケージングシステムは、厚紙製外部スリーブと、該外部スリーブ内にロック可能に保持される厚紙製内部スライドカードとを備えており、該外部スリーブは、互いに連結している複数のサイドパネルを有している。複数枚のサイドパネルのうち、一つは内部スライドカード保持手段と、第一の内部スライドカード解放手段とを有している。複数枚のサイドパネルの他の一つは、第二の内部スライドカード解放手段を有している。該内部スライドカードは、複数の単位用量分配手段と、該単位用量分配手段に近接して配置される内部スライドカード保持／解放手段を有している。なお、該複数の単位用量分配手段は、単位用量パッケージホールを有するものである。
【０００４】
また、特許文献２に開示されている包装容器は、スリーブと、前記スリーブの開口部に対して挿入引出し自在のインサートが設けられた包装容器である。スリーブは、その内側に掛けタブを有し、掛けタブには突起が設けられている。インサートには係止タブが設けられ、係止タブはインサートがスリーブに挿入された時に掛けタブに係合する位置に設けられ、係止タブは掛けタブとの係合により、スリーブからインサートが移動することを阻止するものである。
【先行技術文献】
【特許文献】
【０００５】
【特許文献１】特許第３３２７３９２号公報
【特許文献２】特許第３９７１３０６号公報
【発明の概要】
【発明が解決しようとする課題】
【０００６】
上記背景技術の場合、ロック機構が、片持ちの部材と係止部が係合したり解除したりするものであり、片持ちの部材は、係合と解除を繰り返すと基端部付近の弾性がなくなり、係合しにくくなったり、係合が不用意に解除されることがあり、ロック機能が低下し易いものである。
【０００７】
この発明は、上記背景技術の問題点に鑑みてなされたものであり、高いチャイルドレジスタント効果を有し、係合と解除を繰り返しても、高いロック効果を維持することができるチャイルドレジスタント機能付き包装用箱を提供することを目的とする。
【課題を解決するための手段】
【０００８】
本発明は、薬剤等の収容物を内側に保持した中枠部材と、前記中枠部材を摺動可能に収容する箱体とを備えたチャイルドレジスタント機能付き包装用箱である。前記中枠部材は、ＰＴＰシート等を保持する保持片が、厚み形成片とともに折り曲げられて設けられ、前記中枠部材の端部には折り返し係止部が折罫線を介して折り返されて設けられ、前記折り返し係止部は前記保持片とともに折り曲げられている。前記折り返し係止部を前記保持片と区切る前記折罫線は、前記折り返し係止部を折り返した状態で、前記保持片または前記厚み形成片から離れるように傾斜して立ち上がる角度に形成されている。前記箱体の内側には、前記折り返し係止部の端部に当接して係合する段部が設けられ、前記段部の近傍には前記折り返し係止部を押し込んで前記段部から外して係合を解除する押し込み部が設けられている。
【０００９】
また、前記段部は、前記箱体の側面を筒体に組み立てる糊付片に形成された切欠部の端縁部により形成されている。
【００１０】
また、前記段部は、前記箱体の側面を筒体に組み立てる糊付片に形成された切欠部の端縁部と、前記糊付片に連接して設けられ前記糊付片に折り返して糊付けされる折返片の端縁部が、重ねられて形成されている。
【００１１】
前記中枠部材の前記厚み形成片には、前記折り返し係止部が押し込まれる部分に透孔が形成されている。
【００１２】
前記箱体の前記押し込み部は、前記箱体に設けられた切断線が設けられている。さらに、前記切断線に交差して連続する折罫線で囲まれていると良い。
【００１３】
さらに、前記保持片が前記厚み形成片を挟んで一対設けられ、前記折り返し係止部は前記一対の保持片と前記折罫線で折り返されてコの字形に設けられていると良い。
【発明の効果】
【００１４】
本発明のチャイルドレジスタント機能付き包装用箱は、高いチャイルレジスタント効果を有し、係合と解除を繰り返してもチャイルドレジスタント効果を確実に維持し、子供が収容物を取り出して誤飲等をすることに対して抵抗することができる。
【図面の簡単な説明】
【００１５】
【図１】この発明の一実施形態のチャイルドレジスタント機能付き包装用箱の中枠部材を箱体から出した状態を示す斜視図である。
【図２】この実施形態のチャイルドレジスタント機能付き包装用箱の斜視図である
【図３】この実施形態のチャイルドレジスタント機能付き包装用箱の箱体の展開図である。
【図４】この実施形態の中枠部材の展開図である。
【発明を実施するための形態】
【００１６】
以下、この発明の実施形態について図面に基づいて説明する。図１〜図４はこの発明の一実施形態を示すもので、この実施形態のチャイルドレジスタント機能付き包装用箱１０は、箱体１２の内側に、収容物を入れる中枠部材１４が摺動可能に設けられている。
【００１７】
箱体１２は、紙製等の一枚のブランクシートを打ち抜いて形成された箱体形成片１６を組み立てて設けられている。図３は、箱体形成片１６を表面から見た展開図であり、箱体形成片１６は、側面１８，２０，２２，２４が、互いに平行に連接して形成されている。側面１８，２０，２２，２４は、連接方向と直交する幅方向の長さは互いに同じ長さであり、それと直交する長さは側面１８，２２が短くて互いにほぼ等しく、側面２０，２４が長くて互いにほぼ等しい。側面１８，２０，２２，２４は、各々折罫線２６，２８，３０で区切られている。
【００１８】
側面１８の、側面同士の連接方向に対して直角な方向の一端部には、矩形のフラップ３２が折罫線３４で区切られて設けられている。側面１８の、折罫線３４と反対側の端部には、フラップ３２とほぼ同形状のフラップ３６が折罫線３８で区切られて設けられている。側面１８の、中心よりも折罫線３８に近い位置に、折罫線３８に対して平行な折罫線４０が設けられ、折罫線４０は、折罫線２６と、折罫線２６に対して平行な側縁部１８ａを結んで側面１８を横断している。折罫線２６の、折罫線３８と折罫線４０の間の部分は、切断線４２となり、切断線４２は、折罫線２６よりも少し側面１８の中心に移動した位置に設けられ、切断線４２の両端部は折罫線２６の延長線上に向かうように折り曲げられている。側縁部１８ａ、折罫線３８、折罫線４０、切断線４２で囲まれた部分は、中枠部材１４とのロックを解除するときに押す、押し込み部４４となる。
【００１９】
側面２０の、側面１８の折罫線３４に隣接する端部２０ａには、他の部材が設けられていない。側面２０の、端部２０ａと反対側の端部には、矩形の外底蓋片４６が折罫線４８で区切られて設けられている。
【００２０】
側面２２の、側面２０の端部２０ａに隣接する端部には、矩形のフラップ５０が折罫線５２で区切られて設けられている。側面２２の、折罫線５２と反対側の端部には、フラップ５０とほぼ同形状のフラップ５４が折罫線５６で区切られて設けられている。
【００２１】
側面２４の、側面２２の折罫線５２に隣接する端部には、矩形の上蓋片５８が折罫線６０で区切られて設けられている。上蓋片５８の、折罫線６０と反対側の端部には差込片６２が折罫線６４で区切られて設けられている。側面２４の、折罫線６０と反対側の端部には、外底蓋片４６よりも少し小さい内底蓋片６６が折罫線６８で区切られて設けられている。
【００２２】
側面２４の、折罫線３０に対して平行な側縁部には、箱体１２の組立状態で側面１８の裏面に糊付けされる糊付片７０が折罫線７２で区切られて設けられている。糊付片７０は、側面１８とほぼ同じ幅に設けられている。糊付片７０の、側面２４の折罫線６８に近いところには、糊付片７０を分断する切欠部７４が設けられている。
【００２３】
切欠部７４は、折罫線７２と、折罫線７２に対して平行な側縁部７０ａに達する変形した矩形状に形成されている。切欠部７４の折罫線６８に近い端縁部７４ａは、側縁部７０ａから離れて折罫線７２に近づくにつれて折罫線６８から離れるように傾斜した直線であり、端縁部７４ａに連続する端縁部７４ｂは、折罫線７２に対して平行で折罫線７２よりも僅かに側面２４の中心に移動した直線である。端縁部７４ｂに連続する端縁部７４ｃは、チャイルドレジスタント機能を発揮するため、後述する折り返し係止部１０４に係合する段部となる部分で、端縁部７４ｂに対して直角に位置する直線である。
【００２４】
糊付片７０の、折罫線７２と反対側の側縁部７０ａには、切欠部７４よりも側面２４の折罫線６０に近い部分に、矩形の折返片７６が折罫線７８で区切られて設けられている。折罫線７８は、両端部が折返片７６の端部に達していない短いものである。折返片７６は、切欠部７４よりも側面２４の折罫線６８に近い部分には設けられておらず、糊付片７０の、端縁部７４ｃの延長線上に端縁部７６ｃが位置している。
【００２５】
次に、この実施形態のチャイルドレジスタント機能付き包装用箱１０の箱体１２の組立方法の一例について説明する。ここでは、図３が箱体１２の箱体形成片１６の表面を見たものであり、箱体形成片１６の表面が凸になる折り方を正折り、そして裏面が凸になる折り方を逆折りと称する。
【００２６】
まず、折返片７６の裏面に糊８０を塗布する。糊８０は、折返片７６の長手方向に沿う直線状に塗布し、そして折罫線７８を正折りする。これにより、折返片７６の裏面は糊８０により糊付片７０の裏面に糊付けされる。次に、折罫線３０を正折りし、糊付片７０の表面に糊８２を塗布する。糊８２は、糊付片７０の長手方向に沿う直線状に塗布し、切欠部７４で分断された両方に塗布する。次に折罫線２６を正折りし、糊付片７０の表面は糊８２により側面１８の裏面に糊付けされる。これにより箱体形成片１６は折り畳み状態となり、この折り畳んだ状態で出荷される。
【００２７】
収容物を収容し包装する工場等において、折罫線２６，２８，３０，７２を各々９０°に正折りして四角形の箱体にする。次に、フラップ３６，５４を折罫線３８，５６で正折りし、内底蓋片６６の表面に糊８４を塗布し、糊８４は内底蓋片６６の長手方向に沿う直線状に塗布する。そして、内底蓋片６６を折罫線６８で正折りし、次に外底蓋片４６を折罫線４８で正折りする。これにより、内底蓋片６６の表面は糊８４により外底蓋片４６の裏面に糊付けされ、箱体１２の底部が形成される。これにより、箱体１２は図１に示す状態となる。
【００２８】
次に、箱体１２の中に入れられる中枠部材１４について説明する。中枠部材１４は、紙製等の一枚のブランクシートを打ち抜いて形成された箱体形成片８６を組み立てて設けられている。図４は、箱体形成片８６を表面から見た展開図であり、箱体形成片８６は、保持片８８，９０が、厚み形成片９２を介して互いに平行に連接して形成されている。保持片８８，９０、厚み形成片９２は、連接方向と直行する幅方向の長さは互いに同じ長さであり、それと直交する長さは、保持片８８，９０は互いに等しく、後述する収容物であるＰＴＰシート１３２を覆う大きさである。厚み形成片９２は、保持片８８，９０よりも短く、ＰＴＰシート１３２のプラスチック成形体１３４の高さより少し大きい長さに形成されている。保持片８８、厚み形成片９２、保持片９０は、各々折罫線９４，９６で区切られている。
【００２９】
保持片８８には、ＰＴＰシート１３２のプラスチック成形体１３４の突出部１３４ａに対向する円形の透孔９８が設けられている。透孔９８は、５個が並べられた列が２列、互いに平行に形成され、合計１０個の透孔９８が設けられている。保持片８８の、折罫線９４に対して直角な方向の一方の端部８８ａの中心には、半円形の持ち手１００が折罫線１０２で区切られて端部８８ａから突出して設けられている。持ち手１００は、直径方向が端部８８ａに一致し、端部８８ａに対して直角に位置する半径方向の長さは、箱体１２の上蓋片５８の、折罫線６０から折罫線６４までの長さよりわずかに短いものである。保持片８８の、端部８８ａと反対側の端部８８ｂには、折罫線９４と反対側の角部が面取りされて切り欠かれている。
【００３０】
厚み形成片９２には、矩形の透孔１１０が設けられている。透孔１１０は、厚み形成片９２の中心よりも保持片８８の持ち手１００と反対側の端部９２ｂに近い位置に設けられ、折罫線９４，９６に対して直角な一対の端部と、折罫線９４，９６に対して平行な一対の端部で囲まれて形成され、折罫線９４，９６に対して平行な一対の端部は、折罫線９４，９６を越えて保持片８８または保持片９０に僅かに移動した位置に設けられている。
【００３１】
保持片９０の、折罫線９６と反対側の側縁部９０ａは、中央部に僅かに段部が形成されて折罫線９４，９６と並行に設けられている。厚み形成片９２の端部９２ｂ側の角部は、端部９０ｂに近づくにつれて保持片９０の幅が細くなるように形成され、側縁部９０ａと端部９０ｂの間の角部は面取りされている。
【００３２】
保持片８８の端部８８ｂと、厚み形成片９２の端部９２ｂ、保持片９０の端部９０ｂは互いに連続し、連続した端部８８ｂ，９２ｂ，９０ｂには、１つの折り返し係止部１０４が設けられている。折り返し係止部１０４は、端部８８ｂ，９２ｂ，９０ｂ側を下底とする台形であり、端部９２ｂが下底の中心となり、端部９２ｂとは折罫線１０６で区切られている。折罫線１０６の左右両側には、保持片８８，９０の端部８８ｂ，９０ｂと区切られる折罫線１０８，１１２が設けられ、折罫線１０８，１１２は互いに同じ長さである。
【００３３】
折罫線１０８は、折罫線９４の端部と、端部８８ｂの中間より少し折罫線９４に近い位置で、保持片８８の中心側へ僅かに移動した位置を結んで設けられ、端部８８ｂの延長線に対して僅かに傾斜して設けられている。つまり折罫線１０８は折罫線９４に対して鋭角で交差している。折罫線１１２は、折罫線１０８と対称形であり、折罫線９６の端部と、端部９０ｂの中間より少し折罫線９６に近い位置で保持片９０の中心側へ僅かに移動した位置を結んで設けられ、端部９０ｂの延長線に対して僅かに傾斜して設けられている。つまり折罫線１１２は折罫線９６に対して鋭角で交差している。折罫線１０８の折罫線９４に近い一部と、折罫線１１２の折罫線９６に近い一部は、折り曲げやすいように破断断線で設けられている。
【００３４】
折り返し係止部１０４の、端部９２ｂから、端部９２ｂと反対側の端部１０４ａまでの長さは、折り返し係止部１０４を折罫線１０６で厚み形成片９２に折り返したときに、端部１０４ａが、透孔１１０の内側に位置する長さである。折り返し係止部１０４の端部１０４ａは、透孔１１０内で、端部９２ｂに対して平行で、端部９２ｂから離れた方の端部１１０ａ近傍に位置する。
【００３５】
折り返し係止部１０４には、折罫線９４，９６に連続する折罫線１１４，１１６が設けられている。折罫線１１４は、折罫線９４の端部と端部１０４ａの間で連続し、折罫線１１６は、折罫線９６の端部と端部１０４ａの間で連続し、直線状に設けられている。折罫線１１４，１１６は、対称形であり、端部１０４ａに近づくにつれて互いに離れるように傾斜して形成されている。
【００３６】
保持片９０には、端部９０ｂと折罫線１１２の交点から保持片９０の中心へ向かう所定長さの折罫線９１が設けられている。折罫線９１は、折り返し係止部１０４の台形の脚である傾斜した辺の延長線上に位置し、端部９０ｂから離れるにつれて側縁部９０ａに近づくように傾斜している。
【００３７】
保持片８８の、折罫線９４と反対側の側縁部には、保持片８８に重ねられ後述するＰＴＰシート１３２の突出部１３４ａ側を押さえて保持する押さえ片１２４が、折罫線１２６で区切られて設けられている。押さえ片１２４は、保持片８８とほぼ同じ大きさの矩形であり、押さえ片１２４には、折罫線１２６で保持片８８に二つ折りした時に、透孔９８に対向する挿通穴１２８が１０個設けられている。押さえ片１２４の、保持片８８の端部８８ｂに連接する端部１２４ｂは、折罫線１２６との間の角部が斜めに切除されている。
【００３８】
次に、この実施形態のチャイルドレジスタント機能付き包装用箱１０の中枠部材１４の組み立て方法の一例について説明する。中枠部材１４は、収容物である錠剤１３０が入れられたＰＴＰシート１３２に取り付けて包装するものである。ここで、ＰＴＰシート１３２について説明する。ＰＴＰシート１３２は、プラスチック成形体１３４が設けられ、プラスチック成形体１３４には、錠剤１３０を収容する突出部１３４ａと、突出部１３４ａの周縁部のフランジ部１３４ｂが設けられている。ここでは、５個の突出部１３４ａが並べられた列が２列、互いに平行に形成され、合計１０個の突出部１３４ａが設けられている。プラスチック成形体１３４のフランジ部１３４ｂには、突出部１３４ａの突出方向と反対の面に薄いアルミ箔製の蓋材１３６が貼り付けられ、突出部１３４ａが閉鎖されている。
【００３９】
次に、中枠部材１４の組み立て方法について説明する。ここでは、図４が中枠部材１４の箱体形成片８６の表面を見たものであり、箱体形成片８６の表面が凸になる折り方を正折り、そして裏面が凸になる折り方を逆折りと称する。
【００４０】
まず、箱体形成片８６の、押さえ片１２４の裏面に糊１３８を塗布し、糊１３８は、折罫線１２６に沿う直線状に塗布する。次に押さえ片１２４を折罫線１２６で正折りし、押さえ片１２４の裏面は糊１３８により保持片８８の裏面に糊付けされる。これにより箱体形成片８６は折り畳み状態となり、この折り畳んだ状態で出荷される。
【００４１】
次に、収容物を収容し包装する工場等において、糊１３８により糊付けされた保持片８８と押さえ片１２４の間に、ＰＴＰシート１３２を差し込み、保持片８８と押さえ片１２４に挟まれて保持される。このとき、ＰＴＰシート１３２の蓋材１３６側が保持片８８に接するようにし、ＰＴＰシート１３２のプラスチック成形体１３４の突出部１３４ａは、押さえ片１２４の挿通穴１２８に差し込まれ、押さえ片１２４の表面へ突出する。透孔９８にはＰＴＰシート１３２の突出部１３４ａが位置し、突出部１３４ａの裏面に位置する蓋材１３６が露出した状態となる。
【００４２】
次に折り返し係止部１０４を、折罫線１０６，１０８，１１２で逆折りして保持片８８、厚み形成片９２、保持片９０の表面に重ねるようにして折り返す。この時、折罫線１０８，１１２は折罫線９４，９６に対して鋭角に交差しているため、折り返し係止部１０４は保持片８８、厚み形成片９２、保持片９０に対して平行に重ねられず、端部１０４ａに近づくにつれて保持片８８、厚み形成片９２、保持片９０から離れるように傾斜して立ち上がる。
【００４３】
次に折罫線９４，９６を９０°に正折りし、保持片８８、厚み形成片９２、保持片９０をコの字形に折り曲げる。これと同時に折り返し係止部１０４も折罫線１１４，１１６が約９０°に逆折りされ、保持片８８、厚み形成片９２、保持片９０を覆うコの字形に折り曲げられる。折り返し係止部１０４の端部１０４ａは、保持片８８、厚み形成片９２、保持片９０との間に隙間を有して位置する。なお、折り返し係止部１０４は、厚み形成片９２の透孔１１０に、隙間を有して対向している。これで中枠部材１４の組み立てが完了し、図１に示す状態となる。
【００４４】
そして、予め組み立てられた箱体１２の中に中枠部材１４を入れると、図２に示す状態となる。この時、箱体１２の側面２４の裏面に中枠部材１４の保持片８８が位置し、折り返し係止部１０４が押し込み部４４の裏面に対向する。中枠部材１４は、保持片８８，９０の角部が切除されているため、スライドさせて入れやすくなっている。なお、箱体１２の中に中枠部材１４をスライドさせて入れる際に、折り返し係止部１０４は箱体１２の側面２４、糊付片７０、側面２０の裏面に接触し幅狭に弾性変形されて挿入される。そして、中枠部材１４の端部８８ｂ，９０ｂ，１２４ｂが箱体１２の底部に当接し、収容位置にくると、折り返し係止部１０４の中央部分が糊付片７０の切欠部７４に入り、折り返し係止部１０４の弾性力で、切欠部７４に露出する押し込み部４４の裏面に折り返し係止部１０４が当たり、音が発生する。この音により、中枠部材１４が箱体１２の中の所定位置に収容されたことがわかる。また、折り返し係止部１０４が切欠部７４に入ると、折り返し係止部１０４の端部１０４ａの中央部分が、段部である切欠部７４の端縁部７４ｃに対向し、係合され、中枠部材１４を引き出す方向へスライドさせることができなくなる。切欠部７４の端縁部７４ｃには、折返片７６の端縁部７６ｃが重ねられて、段部が厚くなり、係合が確実になる。
【００４５】
図２に示す収容状態では、持ち手１００の基端部の折罫線１０２は、側面２４の折罫線６０の近傍にあり、持ち手１００は折罫線６０を越えて外側に突出する。次に、持ち手１００を折罫線１０２で９０°に正折りし、フラップ３２，５０を折罫線３４，５２で正折りし、持ち手１００の外側に重ねながら上蓋片５８を折罫線６０で正折りし、差込片６２を折罫線６４で正折りして側面２０の裏面に差し込み、係止する。これで包装が完了する。
【００４６】
ＰＴＰシート１３２から錠剤１３０を取り出す時は、差込片６２を引き抜いて上蓋片５８を開いて、チャイルドレジスタント機能付き包装用箱１０を開口する。そして持ち手１００を保持して引きながら、側面１８の押し込み部４４を押し込む。押し込み部４４を押し込むと、押し込み部４４の裏面側に位置する中枠部材１４の折り返し係止部１０４が押し込まれ、折り返し係止部１０４の端部１０４ａが、箱体１２の糊付片７０の切欠部７４の端縁部７４ｃから離れて係合が解除され、中枠部材１４がスライド可能となる。この時、保持片９０の折罫線９１はゆるやかに逆折りされ、折り返し係止部１０４の端部１０４ａの変位を大きくする。そして、持ち手１００を引いて中枠部材１４をスライドさせ、箱体１２から取り出す。そして中枠部材１４の、二つ折りされた保持片８８，９０を開いて押さえ片１２４を露出させ、押さえ片１２４の挿通穴１２８から突出するＰＴＰシート１３２の突出部１３４ａを押す。錠剤１３０がＰＴＰシート１３２の蓋材１３６に押し付けられて蓋材１３６が破断し、錠剤１３０がＰＴＰシート１３２から出て保持片８８の透孔９８を通過して取り出される。なお、使用した残りの錠剤１３０は、包装と同じ手順で、箱体１２の中に収容する。
【００４７】
この実施形態のチャイルドレジスタント機能付き包装用箱１０によれば、簡単な構造で高いチャイルドレジスタント効果を有し、係合と解除を繰り返しても、高いチャイルドレジスタント効果を維持することができ、子供の誤飲に対し抵抗することができる。箱体１２と中枠部材１４の係合は、コの字形に折り曲げられた大きい面積の折り返し係止部１０４が、糊付片７０の段部である端縁部７４ｃに係合されて行われるため、折り返し係止部１０４の弾性を維持し、係合と解除を繰り返しても、高いロック効果を維持することができる。折り返し係止部１０４の基端部の折罫線１０８，１１２は、折り返し係止部１０４を折り返したときに外側に傾斜して立ち上がるように、保持片８８，９０の端部８８ｂ，９０ｂに対して僅かに傾いて形成されているため、保持片８８、厚み形成片９２、保持片９０から外側に確実に開き、端縁部７４ｃに係合することができる。切欠部７４の端縁部７４ｃには、折返片７６の端縁部７６ｃが重ねられて厚くされ、係合が確実なものとなる。使用者が押し込み部４４を押して係合を解除するときは、折り返し係止部１０４が押し込まれる部分に透孔１１０が設けられているため、折り返し係止部１１２が透孔１１０の中に確実に押し込まれて変位が大きくなり、係合が解除しやすいものである。また、保持片９０の折罫線９１がゆるやかに逆折りされ、この点でも折り返し係止部１０４の端部１０４ａの変位が大きくなり、容易に係合の解除を行うことができる。これにより、使用者には簡単に錠剤１３０を取り出すことができ、使用しやすいものである。中枠部材１４は、保持片９０の側縁部９０ａに段部が形成されているため、保持片８８と保持片９０を重ねた時に保持片８８の折罫線１２６付近が段部から突出して保持しやすくなり、保持片８８，９０を簡単に開くことができ、この点からも使用しやすいものである。
【００４８】
なお、この発明のチャイルドレジスタント機能付き包装用箱は、上記実施の形態に限定されるものではなく、収容する錠剤の数は適宜変更可能であり、用途はＰＴＰシートに限定されず、ＰＴＰシートに用いた場合も、その突出部の数に合わせて側面と押さえ片の透孔の数を変更して対応することができる。ＰＴＰシートの素材はいろいろなものに対応することができる。収容される錠剤は、薬剤に限らず他の商品でもよい。箱体と中枠部材を作るブランクシートの素材も紙以外でもよい。箱体の各部材の形状は自由に変更可能であり、上蓋片や差込片、外底蓋片、内底蓋片等の形状も適宜変更可能である。
【符号の説明】
【００４９】
１０  チャイルドレジスタント機能付き包装用箱
１２  箱体
１４  中枠部材
１６，８６  箱体形成片
１８，２０，２２，２４  側面
４０，１０８，１１２  折罫線
４２  切断線
４４  押し込み部
７０  糊付片
７４  切欠部
７４ｃ，７６ｃ  端縁部
７６  折返片
８８，９０  保持片
９２  厚み形成片
１０４  折り返し係止部
１１０  透孔
１３０  錠剤
１３２  ＰＴＰシート
１３４  プラスチック成形体
１３４ａ  突出部
１３４ｂ  フランジ部
１３６  蓋材
【図１】
0006555944.tif 000002
【図２】
0006555944.tif 000003
【図３】
0006555944.tif 000004
【図４】
0006555944.tif 000005